(57)【要約】【課題】把持部と杖本体とからなる杖のように、股状の形状を有する器具において、自然木の外観を有するとともに股部が強固な器具を提供する。【解決手段】伐採された自然木１の幹部２を、枝部３の基部３ａの近傍で切断して、枝部３の基部３ａに幹部２からなる把持部形成用材５を一体に残し、該把持部形成用材５を把持部形状に加工して、幹部２を把持部とし、枝部３を杖本体とする。また、前記枝部３の基部３ａを加熱しながら把持部形成用材５と枝部３との角度を所望の角度に整形するとよい。【選択図】　　　　図１
2004065472.tif 000002
【特許請求の範囲】
【請求項１】
伐採された自然木の幹部を、枝部の基部の近傍で切断して、枝部の基部に幹部からなる把持部形成用材を一体に残し、該把持部形成用材を把持部形状に加工して、幹部を把持部とし、枝部を杖本体としたことを特徴とする自然木からなる杖。
【請求項２】
伐採された自然木の幹部を、枝部の基部の近傍で切断して、枝部の基部に幹部からなる把持部形成用材を一体に残し、該把持部形成用材を把持部形状に切削加工して、幹部を把持部とし、枝部を杖本体とすることを特徴とする自然木からなる杖の製造方法。
【請求項３】
伐採された自然木の幹部を、枝部の基部の近傍において幹部の直径方向に切断して切り出し幹部を形成し、次で、前記切り出し幹部を幹部の軸方向に切断して、枝部の基部に把持部形成用材を一体に残し、次で、前記把持部形成用材を把持部形状に切削加工して、幹部を把持部とし、枝部を杖本体とすることを特徴とする自然木からなる杖の製造方法。
【請求項４】
前記杖部の基部を加熱しながら杖部を幹部に対して所定の角度に整形する工程を含むことを特徴とする請求項２又は３記載の自然木からなる杖の製造方法。
【請求項５】
伐採された自然木の幹部を、枝部の基部の近傍で切断し、枝部の基部に幹部からなる部材を一体に残し、該部材と枝部を所望形状に加工してなることを特徴とする自然木からなる器具。
【請求項６】
伐採された自然木の幹部を、枝部の基部の近傍で切断して、枝部の基部に幹部からなる部材を一体に残し、該部材と枝部を所望形状に加工することを特徴とする自然木からなる器具の製造方法。
【発明の詳細な説明】
【０００１】
【発明の属する技術分野】
本発明は、自然木からなる杖等の器具とその製造方法に関する。
【０００２】
【従来の技術】
従来、木製の杖として、木材を棒状に加工してなる杖本体と、木材を加工してなる把持部とを別体に形成して、これを接着剤等で接合して形成した杖が知られている。
【０００３】
【発明が解決しようとする課題】
前記従来の杖においては、杖本体が、木材を棒状に加工して形成されていることから、見た目に単純である。
【０００４】
更に、杖本体と把持部を別体に形成して、これを接着剤等で接合していることから、経年使用により、杖本体と把持部との接合力が弱化したり、分離したりして、使用ができなくなることがある。
【０００５】
そこで本発明は、自然木の外観を有する興趣のある杖であって、かつ、前記のような杖本体と把持部の分離がない杖とその製造方法及び杖以外の器具であって股状の形状を有する器具において、自然木の外観を有し、かつ、強固な器具を提供することを目的とするものである。
【０００６】
【課題を解決するための手段】
前記の課題を解決するために、請求項１記載の第１の発明は、伐採された自然木の幹部を、枝部の基部の近傍で切断して、枝部の基部に幹部からなる把持部形成用材を一体に残し、該把持部形成用材を把持部形状に加工して、幹部を把持部とし、枝部を杖本体としたことを特徴とする自然木からなる杖である。
【０００７】
請求項２記載の第２の発明は、伐採された自然木の幹部を、枝部の基部の近傍で切断して、枝部の基部に幹部からなる把持部形成用材を一体に残し、該把持部形成用材を把持部形状に切削加工して、幹部を把持部とし、枝部を杖本体とすることを特徴とする自然木からなる杖の製造方法である。
【０００８】
請求項３記載の第３の発明は、伐採された自然木の幹部を、枝部の基部の近傍において幹部の直径方向に切断して切り出し幹部を形成し、次で、前記切り出し幹部を幹部の軸方向に切断して、枝部の基部に把持部形成用材を一体に残し、次で、前記把持部形成用材を把持部形状に切削加工して、幹部を把持部とし、枝部を杖本体とすることを特徴とする自然木からなる杖の製造方法である。
【０００９】
請求項４記載の第４の発明は、前記第２または第３の発明において、前記杖部の基部を加熱しながら杖部を幹部に対して所定の角度に整形する工程を含むことを特徴とする自然木からなる杖の製造方法である。
【００１０】
前記の発明によれば、杖本体が自然木で形成された興趣のある杖であって、かつ、杖本体と把持部が一体で強固に連結された、耐久性の高い杖になる。
【００１１】
請求項５記載の第５の発明は、伐採された自然木の幹部を、枝部の基部の近傍で切断し、枝部の基部に幹部からなる部材を一体に残し、該部材と枝部を所望形状に加工してなることを特徴とする自然木からなる器具である。
【００１２】
請求項６記載の第６の発明は、伐採された自然木の幹部を、枝部の基部の近傍で切断して、枝部の基部に幹部からなる部材を一体に残し、該部材と枝部を所望形状に加工することを特徴とする自然木からなる器具の製造方法である。
【００１３】
前記第５及び第６の発明においても、前記の杖と同様に、股状の形状を有する器具において、自然木の外観を有し、かつ、強固な器具が形成される。
【００１４】
【発明の実施の形態】
本発明の好ましい実施の形態を図に示す実施例に基づいて説明する。
【００１５】
図１乃至図５は本発明を杖に適用した第１実施例である。
図１は本発明の杖を自然木より切り出す状態を示す図で、１は杖を切り出す伐採された自然木を示し、この自然木１は間伐材を利用するとよいが、間伐材以外の伐採された自然木でもよい。
【００１６】
前記の自然木１から杖を切り出す方法（杖の製造方法）について説明する。
図１に示すような幹部２と枝部３を有する自然木１において、先ず、枝部３の基部３ａの近傍、例えば図１において、基部３ａを中心として幹部２の軸方向の両側へ所定の距離Ｌを隔てて幹部２を切断する。この切断位置を図１において符号４で表わす。
【００１７】
次に、前記符号４の位置で切断して切り出した切り出し幹部２ａを、枝部３側に把持部形成用材５が残るようにして幹部１の直径方向に切断する。この切断位置を図１及び図２において符号６で表わす。このようにして切り出した中間材７を図３に示す。
【００１８】
この中間材７の状態においては、通常、枝部３は幹部１の軸芯に対する角度α（図３参照）が１００度以上の大きな角度を有するため、杖本体となる枝部３と把持部となる把持部形成用材５とが杖として使用に適する角度ではない。
【００１９】
そこで、次の工程として、枝部３の基部３ａを蒸気或いは火炎等により加熱しながら前記の角度αを図４に示すように、杖として適する角度βに整形する。この角度βとしては９０度から略１００度が好ましい。
【００２０】
次に、前記の把持部形成用材５を図５に示すように、把持に適する形状に切削加工し、把持部９に形成するとともに、杖部３の先を所望の長さに切断し、必要により枝部３の表面を仕上げる。
【００２１】
以上により、枝部３から形成された杖本体８と幹部１から形成された把持部９が一体の杖１０が形成される。
【００２２】
したがって、杖本体が自然木で形成された興趣のある杖が形成されるとともに、杖本体８と把持部９が一体で強固に連結され、耐久性の高い杖１０が形成される。
【００２３】
図６は、ドア等の把手に本発明を適用した第２実施例を示す。
図６において、１１は把手であり、この把手１１は把手部１２と、該把手部１２の一側面に取付部１３が一体に突設されている。そして、該把手１１を、その取付部１３を図６に示すようにドア１４等にボルト１５等によって固着して、ドア１４等に取り付けるようになっている。
【００２４】
このような把手１１の製造方法は、前記第１実施例の杖の製造方法で説明した図１乃至図５の工程と同様の工程により、幹部２で把持部１２を形成し、杖部３で取付部１３を形成する。この際、取付部１３の長さは図６に示すように、前記の杖本体８よりも短く切断する。
【００２５】
前記のように製造された把手１１の取付部１３は自然木の枝で形成され、かつ、把手部１２と取付部１３が一体に形成され、前記の杖と同様の効果を発揮する。
【００２６】
図７は、柱や壁等に取り付けて、種々なものを引っ掛けるフックに本発明を適用した第３実施例を示す。
【００２７】
図７において、２１はフックであり、その取付基板２２の前面にフック部２３が突設されている。そして、該フック２１を、その取付基板２２を図７に示すように、柱や壁２４にボルト２５等によって固着して、柱や壁２４に取り付けるようになっている。
【００２８】
このようなフックの製造方法も、前記第１実施例の杖の製造方法で説明した図１乃至図５の工程と同様の工程により、幹部２で取付基板２２を形成し、枝部３でフック部２３を形成する。この際フック部２３は、上向きになるように整形するとともに所定の長さに切断する。
【００２９】
前記のように製造されたフック２１のフック部２３は自然木の枝で形成され、かつ、取付基板２２とフック部２３が一体に形成され、前記の杖と同様の効果を発揮する。
【００３０】
なお、前記杖、把手、フックは本発明を適用した３例であり、自然木の幹部と枝部を一体に切り出す本発明は、前記杖、把手、フック以外のその他の器具、例えば竹馬、物掛台、槌等の器具にも適用できるものである。
【００３１】
そのため、本発明における器具は、股状の形状を有する器具を意味するものである。
【００３２】
【発明の効果】
以上のようであるから、請求項１乃至４に記載の発明によれば、杖本体が自然木の外観を有する興趣のある杖であって、かつ、杖本体と把持部が一体で強固に連結された、耐久性の高い杖を提供できる。
【００３３】
また、請求項５及び６の発明においても、股状の器具において、一部に自然木の外観を有し、かつ、股部が強固に連結された耐久性の高い器具を提供できる。
【図面の簡単な説明】
【図１】本発明の実施例を示すもので、自然木からの切り出し状態を説明する図。
【図２】図１の小口側から見た図。
【図３】図１の自然木から切り出した中間状態を示す図。
【図４】図３の状態から、枝部の基部を加熱して整形した図。
【図５】図４の状態から把持部を切削して杖を形成した図。
【図６】本発明を把手に適用した図。
【図７】本発明をフックに適用した図。
【符号の説明】
１　　　伐採された自然木
２　　　幹部
２ａ　　切り出し幹部
３　　　枝部
３ａ　　基部
４，６　切断位置
５　　　把持部形成用材
７　　　中間材
８　　　杖本体
９　　　把持部
１０　　杖
１１　　把手
１２　　把手部
１３　　取付部
２１　　フック
２２　　取付基板
２３　　フック部
【図１】
2004065472.tif 000003
【図２】
2004065472.tif 000004
【図３】
2004065472.tif 000005
【図４】
2004065472.tif 000006
【図５】
2004065472.tif 000007
【図６】
2004065472.tif 000008
【図７】
2004065472.tif 000009